(57)【特許請求の範囲】
【請求項１】
斜面地山の下部における基礎ブロックに下部から上部にむかって漸次前側にせり出すように湾曲した擁壁が立設され、該擁壁と斜面地山との間には盛土層が形成され、該盛土層の上部には緩衝部が形成され、前記擁壁は、前板と該前板の背面に突出形成された背面アンカー板とからなるプレキャストコンクリートパネルが積み重ねられて形成され、背面アンカー板が垂直方向に挿入した連結部材でプレストレスを付与されて連結されて基礎ブロックに固定されたことを特徴とする落石防護構造物。
【請求項２】
擁壁は永久アンカーで斜面地山に固定されたことを特徴とする請求項１に記載の落石防護構造物。
【請求項３】
斜面地山には適宜間隔ごとにせん断防止ボルトが打設されたことを特徴とする請求項１または２に記載の落石防護構造物。
【発明の詳細な説明】
【技術分野】
【０００１】
本願発明は落石防護構造物に関するものである。
【背景技術】
【０００２】
斜面地山に沿って造られた道路への上部からの落石を防ぐために、図８に示すような、落成防護構造物３８が築造されている。この落石防護構造物３８は斜面地山３９に沿ってプレキャストコンクリートパネル４０が設置されて築造されている。またその他の落石防護構造物としては、例えば特開２００５−１６３５３２号の発明が知られている。
【特許文献１】特開２００５−１６３５３２号公報
【発明の開示】
【発明が解決しようとする課題】
【０００３】
しかし、上記の落石防護構造物は、斜面が長大になる割には防護幅が狭くかつ景観を損なうという問題があった。
【０００４】
本願発明はこれらの問題に鑑みてなされたものであり、その目的は、防護幅が大きくとれかつ景観の良い落下防護構造物を提供することである。
【課題を解決するための手段】
【０００５】
以上の課題を解決するための落石防護構造物は、斜面地山の下部における基礎ブロックに下部から上部にむかって漸次前側にせり出すように湾曲した擁壁が立設され、該擁壁と斜面地山との間には盛土層が形成され、該盛土層の上部には緩衝部が敷設され、前記擁壁は、前板と該前板の背面に突出形成された背面アンカー板とからなるプレキャストコンクリートパネルが積み重ねられて形成され、背面アンカー板が垂直方向に挿入した連結部材でプレストレスを付与されて連結され、該連結部材の下端部が基礎ブロックに固着されたことを特徴とする。また擁壁は永久アンカーで斜面地山に固定されたことを含む。また斜面地山には適宜間隔ごとにせん断防止ボルトが打設されたことを含むものである。
【発明の効果】
【０００６】
擁壁の上部側が前側にせり出す形状であるため防護幅を大きく取ることができ、かつ景観にも優れている。擁壁を形成するプレキャストコンクリートパネルの背面アンカー板が連結部材で連結され、この連結部材が基礎ブロックに固定されているので、プレキャストコンクリートパネルを安定的に設置することができる。擁壁が永久アンカーで斜面地山に安定的に固定されている。斜面地山の崩壊がせん断防止ボルトで防止される。
【発明を実施するための最良の形態】
【０００７】
以下、本願発明の落石防護構造物の実施の形態を図面に基づいて説明する。各実施の形態において同じ構成は同じ符号を付して説明し、異なった構成は異なった符号を付して説明する。
【０００８】
落石防護構造物１は、図１に示すように、斜面地山２の下部における基礎ブロック３に立設された擁壁４と、該擁壁４と斜面地山２との間に形成された盛土層５と、該盛土層５の上部に形成された緩衝部６とから構成されている。また斜面地山２には適宜間隔ごとにせん断防止ボルト７が打設されている。
【０００９】
このせん断防止ボルト７は斜面地山２のせん断や落石を防止するためであり、例えば、ダブル支圧板付きタイボルト、ロックボルトや永久アンカーなどが使用される。このせん断防止ボルト７は斜面地山２の掘削孔８に充填されたグラウト９内に圧入され、所定の緊張力を付与して頭部における一枚目の支圧板１０で定着され、二枚目の支圧板１１が盛土層５に埋設されている。この二枚目の支圧板１１により斜面地山２と盛土層５との一体化が図られている。
【００１０】
基礎ブロック３は擁壁４を支持するものであり、現場打ちコンクリートまたはプレキャストコンクリートで形成され、小口径アンカー（または小口径杭）１２によって道路地盤１３に固定されている。
【００１１】
この基礎ブロック３には、上側に向かって漸次前側にせり出すように湾曲した前壁１４と、該前壁１４の背面に垂直状に形成された背面壁（直角三角形の底面を上側にした形状）１５とからなる擁壁４が立設されている。
【００１２】
この擁壁４は前板１６と背面アンカー板１７とからなる平面Ｔ字形のプレキャストコンクリートパネル（以下ＰＣパネルという）１８が積み重ねられて形成され、下側には、前板１６が垂直なＰＣパネル１８ａが設置され、この上に前板１６が上側に向かって漸次湾曲したＰＣパネル１８ｂ、１８ｃ、１８ｄが設置されている。この前板１６の曲率は上側のＰＣパネル１８ｂ、１８ｃ、１８ｄほど大きくなっており、最上段のＰＣパネル１８ｄが一番大きいため、前壁１４が上側に向かって前側にせり出すような湾曲形になっている。
【００１３】
一方、背面壁１５は直角三角形の底面を上側にした形状であるため、最上段のＰＣパネル１８ｄの背面アンカー板１７が一番長く形成され、下側のＰＣパネル１８ａ、１８ｂ、１８ｃに行くにしたがって短くなっている。このＰＣパネル１８ｄの背面アンカー板１７は前板１６の下面から少し上側に取り付けられ、この下側のＰＣパネル１８ｃの背面アンカー板１７が前板１６の上面から少し上側に取り付けられている。
【００１４】
またＰＣパネル４の横方向は、一側面に形成された半円形の側部嵌合突起２７が、他のＰＣパネルの他側面に形成された半円形の側部嵌合凹溝２８に嵌合されて接合され、この接合部を中心に回転できるようになっている。よって、地山の形状に沿った擁壁４、例えば湾曲状のものを形成することもできる。
【００１５】
またＰＣパネル４の上下方向は前板１６の上面に形成された嵌合突起（最上部のＰＣパネルは除く）２４が、他のＰＣパネル１８の下面に形成された嵌合凹溝（最下部のＰＣパネルは除く）２５に嵌合されて接合されている。
【００１６】
このＰＣパネル１８は軽量コンクリートで形成され、ＰＣパネル１８ａ、１８ｂ、１８ｃ、１８ｄ同士は前板１６の貫通孔１９に挿入された連結部材２０と、背面アンカー板１７の貫通孔２１に挿入された連結部材２２とでプレストレストを付与されて接合され、これらの連結部材２０、２２が基礎ブロック３に固着されて、該基礎ブロック３上に自立した擁壁４が形成されている。またこの擁壁４は永久アンカー２３で斜面地山２にも固定され、該斜面地山２に永久アンカー２３の先端部が打設され、頭部が前壁１６に緊張・定着されている。
【００１７】
これらの連結部材２０、２２は、例えばネジ節異形鋼棒、ＰＣ鋼棒、ＰＣ鋼線、ＰＣ鋼撚り線などが使用され、前板１６の連結部材２０は下側のＰＣパネル１８の定着凹部２８に定着ナット２９で定着されている。そして、最下部におけるＰＣパネル１８ａの連結部材２０が基礎ブロック３に定着ナット２９で定着されて前壁１４が基礎ブロック３に固定される。
【００１８】
一方、背面アンカー板１７の貫通孔２１にも上記と同じ連結部材２２が挿入されて背面アンカー板１７同士を接合するとともに、下端部が基礎ブロック３に定着ナット２９で定着されることにより背面壁１５が基礎ブロック３に固定される。よってこの擁壁４は前壁１４と背面アンカー板１７との連結部材２０、２２で基礎ブロック３に固定されている。
【００１９】
この擁壁４と斜面地山２との間に形成された盛土層５は補強材３０を介して流動コンクリート３１が多段状に積層されて形成されている。この流動コンクリート３１は気泡混合軽量コンクリートであり、各ＰＣパネル１８ごとに投入されている。また流動コンクリート３１の上面に敷設された補強材３０の先端部がＰＣパネル１８に接合されている。
【００２０】
この補強材３０は網状のジオテキスタイルなどであり、流動コンクリート３１間に働く摩擦力または付着力で流動コンクリート３１の引張り抵抗を高めて、流動コンクリート３１内にクラックが発生するのを防止するとともに、盛土層５全体のせん断強度を向上させる。この補強材３０はジオテキスタイルの他に、例えば、鋼材、防錆した金網、合成樹脂や繊維性のシート材であってもよい。
【００２１】
また最上部の流動コンクリート３１の上面は、斜面地山２側に向かって下がる階段状に形成され、ここと背面壁１５の上面とには補強材３０に代わってプライムコート３２が塗布されている。また擁壁４の先端部、すなわち前板１６の上端部には落下防止柵３３を設置した起立ブロック３４が形成され、この起立ブロック３４と斜面地山２との間には砂３５が投入されて緩衝部６が形成されている。この緩衝部６は斜面地山２側に向かって下側に傾斜させて形成されて、岩石３７が斜面地山側に転がるようになっている。
【００２２】
この緩衝部６によって上から落下した岩石３６を受け止めるとともに、落下衝撃力を吸収するものである。このように前方にせり出した前壁１４によって緩衝部６の設置幅を大きくとれるので、岩石３６を全てここで受け止めて落石防護構造物１の下側における道路３７まで落下させないようにしている。
【図面の簡単な説明】
【００２３】
【図１】落石防護構造物の断面図である。
【図２】落石防護構造物の断面図である。
【図３】擁壁の断面図である。
【図４】擁壁の背面図である。
【図５】擁壁の分解断面図である。
【図６】ＰＣパネルであり、（１）は断面図、（２）は背面図、（３）は平面図である。
【図７】ＰＣパネルであり、（１）は断面図、（２）は背面図、（３）は平面図である。
【図８】従来の落石防護構造物の断面図である。
【符号の説明】
【００２４】
１、３８  落石防護構造物
２、３９  斜面地山  
３  基礎ブロック
４  擁壁
５  盛土層
６  緩衝部
７  せん断防止ボルト
８  掘削孔
９  グラウト
１０、１１  支圧板
１２  小口径アンカー
１３  道路地盤
１４  前壁
１５  背面壁
１６  前板
１７  背面アンカー板
１８、４０  ＰＣパネル
１９、２１  貫通孔
２０  ２１  連結部材
２３  永久アンカー
２４  嵌合突起
２５  嵌合凹溝
２６  側部嵌合突起
２７  側部嵌合凹溝
２８  定着凹部
２９  定着ナット
３０  補強材
３１  流動コンクリート
３２  プライムコート
３３  落下防止棚
３４  起立ブロック
３５  砂
３６  岩石
３７  道路
【図１】
0004522971.tif 000002
【図２】
0004522971.tif 000003
【図３】
0004522971.tif 000004
【図４】
0004522971.tif 000005
【図５】
0004522971.tif 000006
【図６】
0004522971.tif 000007
【図７】
0004522971.tif 000008
【図８】
0004522971.tif 000009